(57)【要約】【課題】ロープを綱車に据え付ける際に必要なクリアランスを得るに当たって、固定部材の小さな移動スペースですむエレベーターのロープ外れ止め装置を得る。【解決手段】この発明に係るエレベーターのロープ外れ止め装置１０は、綱車４に巻き掛けられたロープ５に一端部がクリアランスを介して対面して設けられたロープ外れ止め１３と、このロープ外れ止め１３の他端部を巻上機２に固定した固定ボルト１４と、ロープ外れ止め１３に端部が当接して設けられロープ外れ止め１３の一端部をロープ５から離間させる方向に付勢した弾性部材１６と、を備えている。ロープ外れ止め１３は、固定ボルト１４の直線状の進退に応じて弾性部材１６を支点として搖動することで、クリアランスは調整される。【選択図】図２
2015229561.tif 000002
【特許請求の範囲】
【請求項１】
綱車に巻き掛けられたロープに一端部がクリアランスを介して対面して設けられたロープ外れ止めと、
このロープ外れ止めの他端部を巻上機に固定した固定部材と、
前記ロープ外れ止めに端部が当接して設けられ前記ロープ外れ止めの前記一端部を前記ロープから離間させる方向に付勢した弾性部材と、を備え、
前記ロープ外れ止めが前記固定部材の直線状の進退に応じて前記弾性部材を支点として搖動することで、前記クリアランスが調整されるエレベーターのロープ外れ止め装置。
【請求項２】
綱車に巻き掛けられたロープに一端部がクリアランスを介して対面して設けられたロープ外れ止めと、
このロープ外れ止めの他端部を巻上機に固定した固定部材と、
前記ロープ外れ止めに直線状に進退可能に設けられた調整部材と、を備え、
前記ロープ外れ止めは、前記ロープ外れ止めの前記一端部が前記ロープから離間させる方向に付勢した曲面部を有しており、
前記ロープ外れ止めは、前記調整部材の進退に応じて前記曲面部が変形することで、前記クリアランスが調整されるエレベーターのロープ外れ止め装置。
【発明の詳細な説明】
【技術分野】
【０００１】
この発明は、エレベーターに使用されるロープが巻上機の綱車の綱溝から外れるのを防止するエレベーターのロープ外れ止め装置に関する。
【背景技術】
【０００２】
従来、綱車の一側面に回動自在に設けられた基体と、ロープが綱車から離れる位置の近傍に配置され、前記ロープに所定の隙間を有して対向して配置された外れ止めと、前記外れ止めを支持するアームと、前記基体の前記一側面以外の他面側からの操作により、前記アームを前記基体の前記他面に固定する固定手段と、前記外れ止めが前記ロープに接近及び離隔するように、前記アームを移動させる位置調整手段と、を備え、
前記位置調整手段は、前記基体の前記他面側からの操作により、前記外れ止めと前記ロープとの隙間寸法が調整可能に配置されたエレベーターのロープ外れ止め装置が知られている（例えば、特許文献１参照）。
【０００３】
この位置調整手段は、基体の他面に設けられた第１のバネ受けと、この第１のバネ受けに対向し前記アームに設けられた第２のバネ受けと、前記第１のバネ受け及び前記第２のバネ受けとの間の距離を調整する調整ボルトと、を備え、前記調整ボルトを締付けることにより、前記外れ止めが前記ロープから離隔するようになっている。
【先行技術文献】
【特許文献】
【０００４】
【特許文献１】特開２００８‐３０３０４９号公報
【発明の概要】
【発明が解決しようとする課題】
【０００５】
このエレベーターのロープ外れ止め装置では、ロープを綱車に据え付けるときには、予め調整ボルトを締付けることでアームを介して外れ止めを綱車から離間させて外れ止めと綱車との間に十分なクリアランスを確保する必要がある。
この場合、調整ボルトの移動量は、そのまま外れ止めの移動量と同じ値であり、クリアランスを十分確保するためには、調整ボルトの移動量を大きくしなければならず、それだけ調整ボルトの移動スペースを大きくしなければならないという問題点があった。
【０００６】
この発明は、かかる問題点を解決することを課題とするものであって、ロープを綱車に据え付ける際に必要なクリアランスを得るに当たって、固定部材の小さな移動スペースですむエレベーターのロープ外れ止め装置を得ることを目的とする。
【課題を解決するための手段】
【０００７】
この発明に係るエレベーターのロープ外れ止め装置は、
綱車に巻き掛けられたロープに一端部がクリアランスを介して対面して設けられたロープ外れ止めと、
このロープ外れ止めの他端部を巻上機に固定した固定部材と、
前記ロープ外れ止めに端部が当接して設けられ前記ロープ外れ止めの前記一端部を前記ロープから離間させる方向に付勢した弾性部材と、を備え、
前記ロープ外れ止めが前記固定部材の直線状の進退に応じて前記弾性部材を支点として搖動することで、前記クリアランスが調整される。
【０００８】
また、この発明に係るエレベーターのロープ外れ止め装置は、
綱車に巻き掛けられたロープに一端部がクリアランスを介して対面して設けられたロープ外れ止めと、
このロープ外れ止めの他端部を巻上機に固定した固定部材と、
前記ロープ外れ止めに直線状に進退可能に設けられた調整部材と、を備え、
前記ロープ外れ止めは、前記ロープ外れ止めの前記一端部が前記ロープから離間させる方向に付勢した曲面部を有しており、
前記ロープ外れ止めは、前記調整部材の進退に応じて前記曲面部が変形することで、前記クリアランスが調整される。
【発明の効果】
【０００９】
この発明に係るエレベーターのロープ外れ止め装置によれば、ロープ外れ止めが固定部材の直線状の進退に応じて弾性部材を支点として搖動することで、ロープとロープ外れ止めとのクリアランスが調整されるので、固定部材の移動量に比べて大きなクリアランスが確保され、固定部材の移動用のスペースを小さくすることができる。
【００１０】
また、この発明に係るエレベーターのロープ外れ止め装置によれば、ロープ外れ止めは、調整部材の直線状の進退に応じて曲面部が変形することで、クリアランスが調整されるので、調整部材の移動量に比べて大きなクリアランスが確保され、調整部材の移動用のスペースを小さくすることができる。
【図面の簡単な説明】
【００１１】
【図１】この発明の実施の形態１のエレベーターのロープ外れ止め装置を含むエレベーターを示す構成図である。
【図２】図１のエレベーターのロープ外れ止め装置を示す斜視図である。
【図３】図２の矢印Ａから視たエレベーターのロープ外れ止め装置を示す図である。
【図４】図１のエレベーターのロープ外れ止め装置を示す動作説明図である。
【図５】図１のエレベーターのロープ外れ止め装置の変形例を示す動作説明図である。
【図６】この発明の実施の形態２のエレベーターのロープ外れ止め装置を示す動作説明図である。
【図７】図６の矢印Ｂから視たときのエレベーターのロープ外れ止め装置を示す図である。
【図８】エレベーター運転時の図６のエレベーターのロープ外れ止め装置を示す説明図である。
【図９】図６のエレベーターのロープ外れ止め装置の変形例を示す動作説明図である。
【図１０】エレベーター運転時の図９のエレベーターのロープ外れ止め装置示す説明図である。
【発明を実施するための形態】
【００１２】
以下、この発明の各実施の形態のエレベーターのロープ外れ止め装置について図に基づいて説明するが、各図において、同一または相当部材、部位については、同一符号を付して説明する。
【００１３】
実施の形態１．
図１は、この発明の実施の形態１のエレベーターのロープ外れ止め装置１０を含むエレベーターを示す構成図、図２は、図１のエレベーターのロープ外れ止め装置１０を示す斜視図、図３は図２の矢印Ａから視たエレベーターのロープ外れ止め装置１０を示す図、図４は、図１のエレベーターのロープ外れ止め装置１０を示す動作説明図である。
【００１４】
このエレベーターでは、昇降路１の上側の機械室２１には、巻上機２及び制御盤３が設置されている。巻上機２の綱車４には、ロープ５が巻き掛けられている。このロープ５の一端部には、各階の乗場６の出入り口の乗場戸７に対面して停止するかご８が接続されている。ロープ５の他端部には、釣合おもり９が接続されている。
昇降路１の下側のピット１１の底面には、かご用及び釣合おもり用のそれぞれの緩衝器１２が設置されている。
【００１５】
巻上機２の制御盤３側には、巻上機２に固定されたエレベーターのロープ外れ止め装置１０が設けられている。
このエレベーターのロープ外れ止め装置１０は、綱車４に巻き掛けられたロープ５に一端部がクリアランスを介して対面して設けられたロープ外れ止め１３と、このロープ外れ止め１３の他端部を巻上機２にボルト穴１５を通じて固定した固定部材である固定ボルト１４と、この固定ボルト１４の付近であって、ロープ外れ止め１３のベース１７と巻上機２との間の空隙１８に介在した弾性部材１６と、を備えている。
固定ボルト１４は、巻上機２に対して直線状に進退可能である。
弾性部材１６は、端部がロープ外れ止め１３に常に当接して、ロープ外れ止め１３の一端部をロープ４からら離間させる方向に付勢している。
【００１６】
このエレベーターのロープ外れ止め装置１０では、ロープ５を綱車４に据え付ける際には、予め固定ボルト１４を締付けることで、ロープ外れ止め１３は、弾性部材１６の弾性力により、固定ボルト１４を中心に、図４において反時計方向に回動し、綱車４とロープ外れ止め１３とのクリアランスが拡大し、ロープ５の綱車４に対する据え付け作業性が向上する。
また、ロープ５の据え付け作業中は、ロープ外れ止め１３は、弾性体１６の弾性力により、反時計方向に常に付勢されてクリアランスは確保されるので、据え付け作業中にロープ外れ止め１３が作業の支障になるのが防止される。
また、ロープ外れ止め１３は、固定ボルト１４の直線状の進退に応じて弾性部材１６を支点として搖動することで、ロープ５とロープ外れ止め１３とのクリアランスが調整されるので、固定ボルト１４の移動量に比べて大きなクリアランスが確保され、固定ボルト１４の移動用のスペースを小さくすることができる。
従って、巻上機２に例えば障害物である制御盤３が接近して配置されている場合でも、綱車４にロープ５を円滑に据え付けることができる。
【００１７】
なお、図４において点線は、ロープ外れ止め１３に弾性体１６が設けられていない場合を示しているが、固定ボルト１４の弛緩量と同量だけロープ５とロープ外れ止め１３とのクリアランスが増大するが、弾性体１６を有するエレベーターのロープ外れ止め装置１０と比較してクリアランスの大きさの違いは明白である。
【００１８】
なお、図５に示すように、ロープ外れ止め１３の一端部を綱車４の天面に対面したエレベーターのロープ外れ装置１０であってもよい。
【００１９】
実施の形態２．
図６は、この発明の実施の形態２のエレベーターのロープ外れ止め装置１０を示す動作説明図、図７は、図６を矢印Ｂから視たときの図である。
この実施の形態２では、実施の形態１の弾性部材１６は除かれており、ロープ外れ止め１３Ａは、ロープ外れ止め１３Ａの一端部がロープ５から離間させる方向に付勢した曲面部１９を有している。この曲面部１９には、直線状の進退に応じて曲面部１９を変形させる調整部材である調整ボルト２０が設けられている。
その他の構成は、実施の形態１のエレベーターのロープ外れ止め装置１０と同じである。
【００２０】
このエレベーターのロープ外れ止め装置１０では、ロープ５を綱車４に据え付ける際には、予め調整ボルト２０を緩める（後退）ことで、曲面部１９は、調整ボルト２０の後退に追従する結果、綱車４とロープ外れ止め１３Ａとのクリアランスが拡大し、その後、ロープ５は綱車４に据え付けられる。
なお、エレベーター運転時には、図８に示すように、調整ボルト２０を締付けることでロープ外れ止め１３Ａの一端部とロープ５とを適正なクリアランスが確保される。
【００２１】
この実施の形態２のエレベーターのロープ外れ止め装置１０は、実施の形態１のエレベーターのロープ外れ止め装置１０と同様の効果を得ることができるとともに、実施の形態１で用いたい弾性部材１６は不要であり、部材点数が削減され、コスト低減を図ることができるという効果もある。
【００２２】
なお、図９、図１０に示すように、ロープ外れ止め１３Ａの一端部を綱車４の天面に対面したエレベーターのロープ外れ装置１０であってもよい。
【００２３】
なお、上記各実施の形態のエレベーターのロープ外れ止め装置１０では、巻上機２に接近した障害物として制御盤３の例を挙げて説明したが、障害物として昇降路内のガイドレールに接近して巻上機２が設置される場合にも、この発明は効果を得ることができる。
また、固定部材として固定ボルト１４を用い、調整部材として調整ボルト２０を用いたが、勿論ボルトに限定されるものではない。
【符号の説明】
【００２４】
１  昇降路、２  巻上機、３  制御盤、４  綱車、５  ロープ、６  乗場、７  乗場戸、８  かご、９  釣合おもり、１０  エレベーターのロープ外れ装置、１１  ピット、１２  緩衝器、１３，１３Ａ  ロープ外れ止め、１４  固定ボルト（固定部材）、１５  ボルト穴、１６  弾性部材、１７  ベース、１８  空隙、１９  曲面部、２０  調整ボルト（調整部材）、２１  機械室。
【図１】
2015229561.tif 000003
【図２】
2015229561.tif 000004
【図３】
2015229561.tif 000005
【図４】
2015229561.tif 000006
【図５】
2015229561.tif 000007
【図６】
2015229561.tif 000008
【図７】
2015229561.tif 000009
【図８】
2015229561.tif 000010
【図９】
2015229561.tif 000011
【図１０】
2015229561.tif 000012